(57)【要約】【課題】ＩＰＳ方式等の横電界方式により液晶を駆動する場合に、周辺部での透過率の減衰、色味の劣化を低減することを目的とする。【解決手段】複数の線状電極３１Ａ、３１Ｂと配向層２３Ａとを備えた第１の液晶セル用基板１３と、配向層２３Ｂを備えた第２の液晶セル用基板１２と、第１の液晶セル用基板１３と第２の液晶セル用基板１２とに挟持された液晶層１４Ａとを備える。線状電極３１Ａ、３１Ｂによる電界により液晶層１４Ａに係る液晶分子１４の方向を可変し、複数の線状電極３１Ａ、３１Ｂは、三角波形状により蛇行するようにして、配向層２３Ａによる液晶の配向方向と平行又は直交する方向に延長し、第１の液晶セル用基板１３の中央の部位から隅部に向かうに従って、前記三角波形状において、線状電極３１Ａ、３１Ｂによる電界により回転した際の液晶分子１４の長軸方向が中央の部位の側を向いている領域の面積の比率が増大するように形成された。【選択図】図３
2017032829.tif 000002
【特許請求の範囲】
【請求項１】
複数の線状電極と配向層とを備えた第１の液晶セル用基板と、
配向層を備えた第２の液晶セル用基板と、
前記第１の液晶セル用基板と第２の液晶セル用基板とに挟持された液晶層とを備え、
前記線状電極による電界により前記液晶層に係る液晶分子の方向を可変し、
前記複数の線状電極は、
三角波形状により蛇行するようにして、前記配向層による液晶の配向方向と平行又は直交する方向に延長し、
前記第１の液晶セル用基板の中央の部位から隅部に向かうに従って、前記三角波形状において、前記線状電極による電界により回転した際の液晶の長軸方向が前記中央の部位の側を向いている領域の面積の比率が増大するように形成された
液晶セル。
【請求項２】
複数の線状電極と配向層とを備えた第１の液晶セル用基板と、
配向層を備えた第２の液晶セル用基板と、
前記第１の液晶セル用基板と第２の液晶セル用基板とに挟持された液晶層とを備え、
前記線状電極による電界により前記液晶層に係る液晶分子の方向を可変し、
前記複数の線状電極は、
三角波形状により蛇行するようにして、前記配向層による液晶の配向方向と平行又は直交する方向に延長し、
前記第１の液晶セル用基板の基準部位から隅部に向かうに従って、前記三角波形状において、前記線状電極による電界により回転した際の液晶の長軸方向が前記基準部位の側を向いている領域の面積の比率が増大するように形成された
液晶セル。
【請求項３】
請求項１又は請求項２に記載の液晶セルを直線偏光板により挟持した
調光材。
【請求項４】
請求項３に記載の調光材がガラス板に積層一体化された
合わせガラス。
【発明の詳細な説明】
【技術分野】
【０００１】
本発明は、例えば窓に貼り付けて外来光の透過を制御する電子ブラインド等に利用可能な調光材、この調光材に使用する液晶セル、及びこの調光材を使用した合わせガラスに関する。
【背景技術】
【０００２】
従来、例えば窓に貼り付けて外来光の透過を制御する電子ブラインド等に利用可能な調光材に関する工夫が種々に提案されている（特許文献１、２）。このような調光材の１つに、液晶を利用したものがある。この液晶を利用した調光材では、透明電極を作製した透明フィルム材により液晶材料を挟持して液晶セルが作製され、この液晶セルを直線偏光板により挟持して作成される。これによりこの調光材では、液晶に印加する電界の可変により液晶の配向を可変して外来光を遮光したり透過したりし、さらには透過光量を可変したりし、これらにより外来光の透過を制御する。
【０００３】
また液晶表示装置では、従来、画素単位での印加電圧の可変により液晶の配向を可変して透過光量を制御することにより、所望の画像を表示している。このような液晶表示装置に関して、特許文献３には、ＩＰＳ（In-Place-Switching）方式に代表される横電界方式による液晶表示装置において、電界印加時における液晶の配光方向が異なる第１及び第２の領域を各画素に設けるようにして、この第１及び第２の領域の大きさを異ならせることにより、液晶材料の駆動特性を補正して透過率、視野角特性を向上する工夫が提案されている。
【０００４】
ところで、電子ブラインド等に利用される調光材においても、液晶表示装置と同様に、ＩＰＳ方式等により液晶材料を駆動することにより、視野角特性を向上することができ、さらには構成を簡略化することができると考えられる。しかしながら電子ブラインド等においては、大きな視野角による利用が考えられ、この場合、周辺部で色味が劣化する恐れがある。
【先行技術文献】
【特許文献】
【０００５】
【特許文献１】特開平０３−４７３９２号公報
【特許文献２】特開平０８−１８４２７３号公報
【特許文献３】特開２０１４−６６７６１号公報
【発明の概要】
【発明が解決しようとする課題】
【０００６】
本発明はこのような状況に鑑みてなされたものであり、ＩＰＳ方式等の横電界方式により液晶を駆動する場合に、周辺部での色味の劣化を低減することを目的とする。
【課題を解決するための手段】
【０００７】
本発明者は、上記課題を解決するために鋭意研究を重ね、電界印加時における液晶の配光方向が異なる領域を設けるようにして、この領域の比率を各部で異ならせる、との着想に至り、本発明を完成するに至った。
【０００８】
具体的には、本発明では、以下のようなものを提供する。
【０００９】
（１）  複数の線状電極と配向層とを備えた第１の液晶セル用基板と、
配向層を備えた第２の液晶セル用基板と、
前記第１の液晶セル用基板と第２の液晶セル用基板とに挟持された液晶層とを備え、
前記線状電極による電界により前記液晶層に係る液晶分子の方向を可変し、
前記複数の線状電極は、
三角波形状により蛇行するようにして、前記配向層による液晶の配向方向と平行又は直交する方向に延長し、
前記第１の液晶セル用基板の中央の部位から隅部に向かうに従って、前記三角波形状において、前記線状電極による電界により回転した際の液晶の長軸方向が前記中央の部位の側を向いている領域の面積の比率が増大するように形成された液晶セル。
【００１０】
（１）によれば、好ましくない色味を補正する方向に液晶が回転してなる領域の面積の比率を、その劣化の程度が大きくなるに従って増大させることができ、これにより周辺部での色味の劣化を低減することができる。
【００１１】
（２）  複数の線状電極と配向層とを備えた第１の液晶セル用基板と、
配向層を備えた第２の液晶セル用基板と、
前記第１の液晶セル用基板と第２の液晶セル用基板とに挟持された液晶層とを備え、
前記線状電極による電界により前記液晶層に係る液晶分子の方向を可変し、
前記複数の線状電極は、
三角波形状により蛇行するようにして、前記配向層による液晶の配向方向と平行又は直交する方向に延長し、
前記第１の液晶セル用基板の基準部位から隅部に向かうに従って、前記三角波形状において、前記線状電極による電界により回転した際の液晶の長軸方向が前記基準部位の側を向いている領域の面積の比率が増大するように形成された液晶セル。
【００１２】
（２）によれば、好ましくない色味を補正する方向に回転してなる面積の比率を、その劣化の程度が大きくなるに従って増大させることができ、これにより周辺部での色味の劣化を低減することができる。
（３）  （１）又は（２）に記載の液晶セルを直線偏光板により挟持した調光材。
【００１３】
（３）によれば、周辺部での色味の劣化を低減しなる調光材を提供することができる。
【００１４】
（４）  （３）に記載の調光材がガラス板に積層一体化された合わせガラス。
【００１５】
（４）によれば、周辺部での色味の劣化を低減しなる調光材を使用して合わせガラスを提供することができる。
【発明の効果】
【００１６】
本発明によれば、液晶を利用した調光材に関して、ＩＰＳ方式等に横電界方式により液晶を駆動する場合に、周辺部での色味の劣化を低減することができる。
【図面の簡単な説明】
【００１７】
【図１】本発明の第１実施形態に係る合わせガラスを示す図である。
【図２】図１の合わせガラスに使用する調光材の説明に供する図である。
【図３】電極の説明に供する図である。
【図４】線状電極を詳細に示す図である。
【図５】電界による液晶配向の説明に供する図である。
【図６】各部における線状電極の設定の説明に供する図である。
【図７】線状電極の詳細設定の説明に供する図である。
【図８】図７の続きの説明に供する図である。
【発明を実施するための形態】
【００１８】
〔第１実施形態〕
〔合わせガラス〕
図１は、本発明の第１実施形態に係る合わせガラスを示す断面図である。この合わせガラス１は、窓ガラス、車両のウインドウ等に使用される合わせガラスであり、中間層４及び５をそれぞれ介して板ガラス２及び３により調光材１０を挟持して構成される。ここで板ガラス２、３は、この種の合わせガラスに適用可能な種々の材料を広く適用することができる。また中間層４、５は、調光材１０と板ガラス２、３との接着層として機能する構成であり、この種の合わせガラスに適用される種々の構成を広く適用することができ、例えば熱線遮蔽材としての機能を備えるようにしてもよい。
【００１９】
〔調光材〕
図２は、調光材を示す断面図である。この調光材１０は、フィルム形状により形成され、合わせガラスに使用される場合の他、例えば調光を図る部位に貼り付けて使用される。
【００２０】
この調光材１０は、液晶を利用して透過光を制御する調光材であり、液晶セル用基板１２、１３により液晶材料を挟持して液晶セル１５が作製され、この液晶セル１５を直線偏光板１６、１７により挟持して作成される。ここで液晶セル１５は、ＩＰＳ方式により液晶層１４Ａに係る液晶分子１４を駆動する横電界方式の液晶セルであり、直線偏光板１６、１７がクロスニコル配置により配置される。なおここで横電界方式とは、基材の面内方向への電界により液晶分子を回転させて液晶分子の方向を可変する方式である。これにより液晶セル用基板１２は、基材２１Ａに、ＩＰＳ方式に係る電極２２が形成され、続いて配向層２３Ａが設けられる。また液晶セル用基板１３は、基材２１Ｂに配向層２３Ｂが設けられる。
【００２１】
なお調光材１０には、液晶層１４Ａの厚みを一定に保持するためのスペーサ２４が液晶セル用基板１２及び又は１３に設けられる。直線偏光板１６、１７は、必要に応じて、それぞれ液晶セル１５側に光学補償に供する位相差フィルム１８、１９が設けられる。なお位相差フィルム１８、１９は、必要に応じて省略してもよい。これによりこの調光材１０は、電極２２Ａへの印加電圧の可変により、液晶層１４Ａに係る液晶分子を回転させて入射光の透過を制御し、例えば透明状態と非透明状態とで状態を切り替えるように構成される。
【００２２】
なお調光材１０は、例えば建築物の窓ガラス、ショーケース、屋内の透明パーテーション等に貼り付けて使用する場合等においては、直線偏光板１６及び又は１７の、液晶セル１５とは逆側の面に、ハードコート層等による保護層が設けられる。
【００２３】
基材２１Ａ、２１Ｂは、液晶セル１５に適用可能な可撓性を有する各種の透明フィルム材を適用することができ、この実施形態では、両面にハードコート層が作製されてなるポリカーボネート等によるフィルム材が適用される。電極２２は、透明と知覚される種々の構成を広く適用することができ、後述するように一定の形状にパターニングされて作製される。
【００２４】
配向層２３Ａ、２３Ｂは、ポリイミド等の配向層に適用可能な各種材料層が適用され、この材料層の表面にラビングロールを使用したラビング処理により微細なライン状凹凸形状を作製して形成される。なおこのようなラビング処理による配向層に代えて、ラビング処理により作製した微細なライン状凹凸形状を賦型処理により作製して配向層を作製してもよく、また光配向層により作製してもよい。
【００２５】
スペーサ２４は、各種の樹脂材料を広く適用することができるものの、この実施形態ではフォトレジストによる透明樹脂により作製される。なお液晶セル１５は、液晶層１４Ａを囲む枠形状によりシール剤２５が配置され、このシール剤２５により液晶材料の漏出が防止され、さらには液晶セル用基板１２、１３が一体に保持される。ここでシール剤２５は、液晶材料の漏出を防止すると共に、液晶セル用基板１２、１３を一体に保持可能な種々の材料を適用することができるものの、この実施形態では、例えばエポキシ樹脂剤による熱硬化型樹脂やアクリル樹脂剤による紫外線硬化樹脂や熱と紫外線の両方で硬化されるものが適用される。
【００２６】
〔電極〕
図３は、電極２２の説明に供する平面図である。この実施形態において、調光材１０は、平面視矩形形状により形成され、この矩形形状に係る長辺にそれぞれ沿って延長するように主の配線パターン３０Ａ、３０Ｂが両端部に設けられる。
【００２７】
調光材１０は、一方の主の配線パターン３０Ａから他方の主の配線パターン３０Ｂに向かって延長する線状電極３１Ａと、これとは逆に他方の主の配線パターン３０Ｂから一方の主の配線パターン３０Ａに向かって延長する線状電極３１Ｂとが、主の配線パターン３０Ａ、３０Ｂの延長方向に順次交互に離間して設けられる。これにより調光材１０では、主のパターン３０Ａ、３０Ｂを介して駆動用電源を供給して、線状電極３１Ａ、３１Ｂの間に液晶駆動用の電界を形成できるように構成される。なおこの実施形態において、この駆動用電源は交番電圧であり、これにより液晶駆動用の電界は交番電界である。なおＩＰＳ方式に代えて、ＦＦＳ方式（Ｆｒｉｎｇｅ  Ｆｉｅｌｄ  Ｓｗｉｔｃｈｉｎｇ）による電極構造を適用してもよく、この場合には、フィルム基板の全面にＩＴＯ等による透明電極が形成され、絶縁層を介して、その上に同様のパターン電極が形成され、このパターン電極と透明電極との間の印加電圧により駆動用の電界が形成される。
【００２８】
これにより調光材１０は、線状電極３１Ａ、３１Ｂにより、主の配線パターン３０Ａ、３０Ｂの間に、櫛歯形状により交差する電極２２が設けられる。調光材１０は、ポジ型液晶の使用を前提に、矢印Ａにより示すように、この線状電極３１Ａ、３１Ｂの繰り返し方向と直交する方向（線状電極３１Ａ、３１Ｂの延長方向）がラビング処理方向に設定され、線状電極３１Ａ、３１Ｂ間に電界が生じていない場合、この線状電極３１Ａ、３１Ｂの延長方向が液晶分子１４の長軸方向となるように設定される。これにより調光材１０は、隣接する線状電極３１Ａ、３１Ｂ間の電界により液晶分子１４を回転させて液晶分子の長軸方向の向きを可変する。なお屈折率の異方性と誘電率の異方性が一致しないネガ型液晶を用いる場合、電極３１Ａ、３１Ｂの延長方向と直交する方向にラビング処理を実行する。
【００２９】
なおこのように調光材１０の両端部に主の配線パターン３０Ａ、３０Ｂを設けて、主の配線パターン３０Ａ、３０Ｂの間の領域を纏めて駆動する代わりに、調光材１０を複数の領域に分割して駆動するようにしてもよい。
【００３０】
さらにこの実施形態において、線状電極３１Ａ、３１Ｂは、図４に部分的に拡大して示すように、三角波形状により蛇行するように形成され、これによりジグザグに作製される。またこのように蛇行しても隣接する線状電極３１Ａ、３１Ｂ間の間隔はほぼ一定に保持されるように、この蛇行が隣接する線状電極３１Ａ、３１Ｂで同期するように作製される。すなわち線状電極３１Ａ、３１Ｂは、その延長方向に対して一定の角度だけ傾いて延長する領域ＡＲ１と、これとは逆向きに傾いて延長する領域ＡＲ２とが順次交互に作製され、隣接する線状電極３１Ａ、３１Ｂでこれら領域ＡＲ１、ＡＲ２が線状電極３１Ａ、３１Ｂの繰り返し方向に揃うようにして作製される。
【００３１】
これにより調光材１０では、矢印Ａにより示すラビング方向（無電界時の液晶配向方向）に対して、時計方向及び反時計方向にそれぞれ線状電極３１Ａ、３１Ｂが傾いてなる領域ＡＲ１及びＡＲ２が順次交互に形成され、これによりラビング方向に直交する方向である線状電極３１Ａ、３１Ｂの繰り返し方向に対して、時計方向及び反時計方向に傾いた方向に駆動用電界を形成する領域ＡＲ１及びＡＲ２が順次交互に形成される。これにより調光材１０は、電界に対する液晶分子１４の回転方向が異なる第１及び第２の領域ＡＲ１、ＡＲ２が線状電極３１Ａ、３１Ｂの延長方向に順次交互に設けられる。
【００３２】
これにより調光材１０は、駆動用電界の印加により右回りと左回りの動きをする液晶分子の特性を平均化して視野角特性を向上する。しかしながら調光材１０では、液晶表示装置に比して極めてユーザが近接して位置し、さらに大面積により作製される場合も多いことにより、視野角が極めて大きくなる場合がある。その結果、中央の部位に比して隅部で、色味が劣化して観察されることになる。より具体的には、中央の部位に比して隅部が黄色みを帯びて暗く観察されることになる。そこで調光材１０では、中央の部位を基準部位に設定し、この基準部位及び近傍では第１及び第２の領域の面積の比率が等しくなるように設定する。また第１及び第２の領域ＡＲ１、ＡＲ２の面積の比率をこの基準部位の比率から各部で異ならせ、これにより隅部における色味の劣化を低減する。
【００３３】
より具体的に、図５（Ａ）に示すように、領域ＡＲ２において、液晶分子１４は、電界の印加により矢印Ｂにより示すように、時計方向に回転し、線状電極３１Ａ、３１Ｂの延長方向と直交する方向が長軸方向となるように配向する。この場合、調光材１０は、この長軸方向から見た場合、白色により観察されるものの、これと直交する方向から見た場合、黄色を帯びて観察される。またこの長軸方向から見た場合の方が透過率が高くなる。また図５（Ｂ）に示すように、領域ＡＲ１おいては、電界の印加により矢印Ｂにより示すように、液晶分子１４は反時計方向に回転し、この場合も線状電極３１Ａ、３１Ｂの延長方向と直交する方向が長軸方向となるように配向して、この長軸方向にから見た場合、白色により観察され、これと直交する方向から見た場合、黄色を帯びて観察される。またこの場合も、長軸方向から見た場合の方が透過率が高くなる。
【００３４】
これにより図６に示すように、中央及び近傍の部位では、この第１及び第２の領域の面積の比率が等しくなるように設定し、矢印Ｃにより示すように、中央の部位から隅部に向かうに従って、このように白色により観察される領域の面積の比率が、等しい比率から増大するように、より具体的には、線状電極３１Ａ、３１Ｂによる電界方向が中央を向いている側の領域の面積の比率が増大するように、線状電極３１Ａ、３１Ｂを作製する。
【００３５】
より具体的に、図７及び図８に示すように、線状電極３１Ａ、３１Ｂは、一定のピッチＰにより第１及び第２の領域ＡＲ１及びＡＲ２が繰り返すように、隣接する第１及び第２の領域ＡＲ１及びＡＲ２の長さＴ１及びＴ２の加算値（Ｔ１＋Ｔ２）がピッチＰなるように作製される。調光材１０は、中央の部位（図３において符号Ｏにより示す部位）においては、領域ＡＲ１、ＡＲ２の比率が等しくなるように、この繰り返しピッチＰの１／２の長さＰ／２により領域ＡＲ１、ＡＲ２が形成される（図７（Ｃ）及び図８（Ａ））。
【００３６】
これに対して四隅に近づくに従って、この領域ＡＲ１、ＡＲ２の長さＴ１及びＴ２が相補的に変化して、線状電極３１Ａ、３１Ｂによる電界方向が中央を向いている側の領域の面積の比率が増大するように（符号ＵＬ１、ＵＬ２、ＤＬ２、ＤＬ１により示す）作製される。これによりこの実施形態では、周辺部における色味の劣化を防止する。なおネガ型液晶材料を適用する場合には、ポジ型液晶を使用する場合と同じ方向に液晶分子を回転させるために、電極の向きにポジ型液晶を使用する場合の逆向きとすることが必要ではあるものの、ポジ型液晶を使用する場合と同様に液晶分子の回転方向を基準に領域ＡＲ１、ＡＲ２を設定して、ポジ型液晶を使用する場合と同様に周辺部における色味の劣化を防止することができる。
【００３７】
ここでこの第１及び第２の領域ＡＲ１、ＡＲ２の長さＴ１及びＴ２が余りに長くなると第１及び第２の領域ＡＲ１、ＡＲ２における光学特性の相違が知覚されることになる。しかしながらこの第１及び第２の領域ＡＲ１、ＡＲ２の長さＴ１及びＴ２が短くなると、第１及び第２の領域ＡＲ１、ＡＲ２の境界の数が増大し、これに伴い、境界部分での配向異常により透過率が低下する。これによりこの実施形態において、繰り返しピッチＰは３０μｍ以上１０００μｍ以下、好ましくは５０μｍ以上５００μｍ以下、より好ましくは５０μｍ以上３００μｍ以下に設定される。また領域ＡＲ１、ＡＲ２の面積の比率が余りに大きく異なるようになると、中央以外の箇所から見た場合の色味の劣化が著しくなることにより、さらには所望の電界を確保できなくなることにより、領域ＡＲ１、ＡＲ２の面積の比率は、１：１以上１０：１以下、好ましくは１：１以上５：１以下に設定される。
【００３８】
またこのように第１及び第２の領域ＡＲ１、ＡＲ２を作製しても、線状電極３１Ａ、３１Ｂの間の間隔ＷＢが広すぎる場合には、第１及び第２の領域ＡＲ１、ＡＲ２における電界の向きを意図する方向に設定できなくなる。逆に、線状電極３１Ａ、３１Ｂの間の間隔ＷＢが狭すぎる場合には、充分に開口率を確保できなくなり、効率良く入射光を透過できなくなる。これにより間隔ＷＢは、２μｍ以上１００μｍ以下、好ましくは３μｍ以上５０μｍ以下、より好ましくは５μｍ以上３０μｍ以下に設定され、また線状電極３１Ａ、３１Ｂのパターン幅ＷＡは、２μｍ以上３０μｍ以下、好ましくは３μｍ以上２０μｍ以下、より好ましくは５μｍ以上１０μｍ以下に設定される。
【００３９】
また調光材１０では、電界による液晶材料の配向方向（長軸方向）が、ラビング方向に対して斜め４５度の方向になるように設定して最も効率良く入射光を透過できることにより、線状電極３１Ａ、３１Ｂの延長方向に対する第１及び第２の領域ＡＲ１、ＡＲ２の傾きθは、第１及び第２の領域ＡＲ１、ＡＲ２で等しい大きさに設定して、２度以上３０以下、好ましくは５度以上２０度以下に設定される。なおこれによりこの角度θの条件の元、第１及び第２の領域ＡＲ１、ＡＲ２の傾きθの大きさを異ならせても良い。
【００４０】
ここで主の配線パターン３０Ａ、３０Ｂは、多数の線状電極３１Ａ、３１Ｂに交番電圧による駆動電圧を供給することにより、抵抗値の小さな材料により形成され、より具体的には例えばアルミニウム、銅等の金属材料により形成される。これに対して線状電極３１Ａ、３１Ｂは、透光性の電極材料により形成され、より具体的には例えばＩＴＯ（Indium  Tin  Oxide）等により形成される。なお実用上充分な場合には、主の配線パターン３０Ａ、３０Ｂに透明電極を適用してもよく、線状電極３１Ａ、３１Ｂに金属材料を適用してもよい。
【００４１】
なおこの実施形態において、第１及び第２の領域ＡＲ１、ＡＲ２の面積の比率は、連続的に可変するように設定されているものの、実用上充分に比率の変化による不連続性を見て取ることができない場合には、段階的に可変するようにしてもよい。
【００４２】
〔他の実施形態〕
以上、本発明の実施に好適な具体的な構成を詳述したが、本発明は、本発明の趣旨を逸脱しない範囲で、上述の実施形態を種々に変更することができる。
【００４３】
すなわち上述の実施形態では、調光材１０の中央の部位を基準部位に設定し、中央の部位では領域ＡＲ１、ＡＲ２の面積の比率を１：１に設定すると共に、この中央の部位から四隅に向かうに従って液晶分子の回転方向が基準部位の側となる領域ＡＲ１又はＡＲ２の面積の比率を増大させる場合について述べたが、本発明はこれに限らず、この基準部位にあっては、調光材１０の設置状況に応じて種々に設定することができ、例えば短辺又は長辺の中央に設定してもよく、四隅の１つに設定してもよい。
【００４４】
また上述の実施形態では、第１及び第２の領域ＡＲ１、ＡＲ２の繰り返しピッチＰを一定値に保持して、第１及び第２の領域ＡＲ１、ＡＲ２の長さＴ１、Ｔ２を相補的に可変する場合について述べたが、本発明はこれに限らず、これに代えて、又はこれと組み合わせて、第１又は第２の領域ＡＲ１又はＡＲ２の長さＴ１又はＴ２を一定値に保持して、第２又は第１の領域ＡＲ２又はＡＲ１の長さＴ２又はＴ１を可変するようにしてもよい。
【００４５】
また上述の実施形態では、ＩＰＳ方式により液晶を駆動する場合について述べたが、本発明はこれに限らず、ＩＰＳ方式以外の横電界方式により液晶を駆動する場合に広く適用することができる。
【００４６】
また上述の実施形態では、フォトレジストによる透明樹脂によりスペーサを作製する場合について述べたが、本発明はこれに限らず、紫外線硬化性樹脂等の賦型に供する樹脂を使用して、配向層と一体に、又は配向層と個別に、賦型処理により作製する場合にも広く適用することができる。
【符号の説明】
【００４７】
１  合わせガラス
２、３  板ガラス
４、５  中間層
１０  調光材
１２、１３  液晶セル用基板
１４  液晶分子
１４Ａ  液晶層
１５  液晶セル
１６、１７  直線偏光板
１８、１９  位相差フィルム
２１Ａ、２１Ｂ  基材
２２  電極
２３Ａ、２３Ｂ  配向層
２４  スペーサ
２５  シール剤
３０Ａ、３０Ｂ  主の配線パターン
３１Ａ、３１Ｂ  線状電極
【図１】
2017032829.tif 000003
【図２】
2017032829.tif 000004
【図３】
2017032829.tif 000005
【図４】
2017032829.tif 000006
【図５】
2017032829.tif 000007
【図６】
2017032829.tif 000008
【図７】
2017032829.tif 000009
【図８】
2017032829.tif 000010